(57)【要約】      （修正有）【課題】入力画像データや読取画像データの画像処理を行い、出力画像データを生成し、メディア上に印刷する際に、転写されたトナーが飛散することのない画像処理装置及び画像処理方法、ならびに画像処理方法を実行するプログラムを提供する。【解決手段】置換判定処理を行う際に、判定領域の決定条件を切り替える手段と、置換対象判定の濃度条件及び位置条件を切り替える手段を有する。【選択図】図１
2013131943.tif 000002
【特許請求の範囲】
【請求項１】
２値画像を判定対象とし、ある画像領域のトナー載量を調整する事を目的として画像データの置換処理を行う画像処理装置であって、画像入力装置（２０１）から入力された画像データを受信した画像形成装置（２０２）の画像処理部（２０５）において、入力画像に対する判定領域幅と高さを情報記憶部（２１０）より取得する手段（２０６）と、前記決定した判定領域幅と高さより、判定領域を決定する手段（２０６）と、前記判定領域内に含まれる画像データの平均面積濃度（白黒画素比率）を算出する手段（２０７）と、当該領域が置換対象となる平均面積濃度であるか否かを判定するための置換領域判定閾値を情報記憶部（２１０）より取得する手段（２０７）と、当該領域が置換対象領域であるか否かを判定する手段（２０７）と、当該領域がエッジ部を持つか否かを判定するためのエッジ部判定閾値を、情報記憶部（２１０）より取得する手段（２０８）と、当該領域がエッジ内部を持つか否かを判定するための内部判定閾値を情報記憶部（２１０）より取得する手段（２０８）と、前記エッジ部判定閾値と、エッジ内部判定閾値と、当該判定領域の平均面積濃度をそれぞれ比較し、置換対象であるか否かを判定する手段（２０８）と、前期置換領域判定手段（２０６）により決定した置換領域に対し、置換処理判定部（２０７，２０８）で置換対象と判断された領域の画像データの置換処理を行う手段（２０９）と、を有することを特徴とする画像処理装置。
【請求項２】
画像処理装部（２０５）に、一定領域内のトナー載り量と、前記判定領域に含まれる画像データの平均面積濃度との相関を表すデバイス情報を保持する手段（２０７）と、前記デバイス情報から置換判定閾値を決定する手段（２０７）と、を有することを特徴とする請求項１に記載の画像処理装置。
【請求項３】
画像処理部（２０５）に、元原稿濃度と、前記元画像をスキャナで読み取り２値化処理を行った後の前記判定領域内の平均面積濃度との相関を表すデバイス情報を保持する手段（２１０）と、前記デバイス情報からエッジ判定閾値を決定する手段（２０８）と、前記デバイス閾値から内部判定閾値を取得する手段（２０８）と、を有することを特徴とする請求項１に記載の画像処理装置。
【請求項４】
ユーザインターフェース（２０４）で設定された画像データの処理モードを認識し、処理モードに応じて前記判定領域幅を切り替える手段（２０２）を有し、前記設定された処理モードが「文字データ」を想定したモードである場合、前記判定領域幅を低く設定する手段（２０６）と、前記設定された処理モードが「イメージデータ」を想定したモードである場合、前記判定領域幅を広く設定する手段（２０６）と、を有することを特徴とする請求項１に記載の画像処理装置。
【発明の詳細な説明】
【技術分野】
【０００１】
本発明は、画像処理装置及び画像処理方法、ならびに画像処理方法を実行するプログラムに関するものである。
【背景技術】
【０００２】
複写機やプリンタなど、ホストコンピュータやスキャナ等の入力装置から送られる入力画像（印刷）データや読取画像データを、ラスタライズ画像に展開して画像処理を行い、出力画像データを生成し、出力(印字)装置や機能を用いてメディア上に印刷する装置がある。これらにおいては、出力装置の特徴に対応して、生成した印字データを補正する機能を有するものがある。例えば、ベタ塗りつぶし画像のように、一定の面積中に含まれる出力画像データが全て最大濃度またはそれに近い濃度であるような場合、例えば電子写真式印刷装置であれば、多くのトナーが塗りつぶし領域に付着するため、本来載るべき領域の外に飛び散ってしまう事がある。
【０００３】
このようなトナー飛散の要因となる電子写真の画像形成プロセス上の問題として、メディア上に転写されたトナーを定着させる際、定着装置を通過する際に発生する水蒸気の急激な膨張により定着前のトナーが吹き飛ばされるという現象が知られる。
【０００４】
このような現象は、メディアの搬送方向に対して特定のトナー堆積幅の場合に特に顕著に見られ、具体的には600dpiの解像度において4画素〜10画素程度の連続した領域に対して認められる現象である。この範囲を超えると、水蒸気膨張による吹き飛ばし効果が弱まるため次第に発生率が低下していく。また、この現象はトナーの堆積領域に対してトナーの載り量が多ければ多いほど発生頻度が高くなる。
【０００５】
これを防ぐために、生成された出力画像データの一部間引く事でトナーの載り量を低減する方法が提案されている。この方法によれば、本来の出力画像データ通りに出力した場合よりも濃度が低減するが、過載量によるトナー飛散を抑制する事ができる。
【０００６】
特許文献１では、まずウィンドウエリアに対応する出力画像データ（単体画素または複数の画素領域）が判定パターンに一致するか否かを判定する。次に、判定パターンに一致するウィンドウエリア内部の所定位置の画素または画素領域の値を減ずる方向に変更する画像処理を経た出力画像データを、記録材を用いて記録媒体に画像を形成する装置に出力する方法を提示している。また、特許文献２では、同様の判定処理を行った後、判定パターンに一致するウィンドウエリアの外側の所定位置の画素または画素領域の値を増ずる方向に変更する画像処理を経た出力画像データを、記録材を用いて記録媒体に画像を形成する装置に出力する方法を提示している。これは不可視となるレベルの１つまたは複数の画素をウィンドウエリア外部に付加することで、ウィンドウエリア内部の画素を間引いた時と同じ効果が得られる事を目的としている。
【先行技術文献】
【特許文献】
【０００７】
【特許文献１】特開２００６−２９５６２４号公報
【特許文献２】特開２００９−２３２８３号公報
【発明の概要】
【発明が解決しようとする課題】
【０００８】
このような出力画像データを補正する処理においては、画素を間引く、または付加するいずれの方法においても次のような判定手段を持つ。すなわち、補正処理対象となる画像領域を抽出するにあたり、ウィンドウエリアに対応する画像データが判定パターンに一致するか否かを判定し、判定パターンに一致するウィンドウエリア内部の所定位置の画素または画素領域を補正処理対象とする。
【０００９】
従来の技術では、トナー飛散が起こり得る状態に対応する、一定領域に十分にトナーが載るような画像信号値を想定している。例えばホストコンピュータから最大濃度を指定した画像データをプリンタに送られた場合に、印字メディアに対するトナー載量が最大となると予想する。従って、トナー飛散を回避する必要のある画像とはデジタル信号が最大値（黒）である事を判定条件としており、基本的に画素単位の判定となる。しかしながら、実際には画素単位の処理は処理速度の面で負荷が大きいため、高速化のために複数画素を同時に判定処理する場合が多い。この場合でも基本思想は画素単位の判定であり、結果として全ての画素が最大値である場合のみ置換対象となる。
【００１０】
ところが、トナー飛散は実際のトナー載り量に依存するため、必ずしも画像信号が最大値の場合のみに発生するとは限らない。すなわち、ある画像領域に含まれる全ての画像信号が最大値でない場合であって、従来技術において補正対象と判定されない場合でも、印刷装置のプロセス条件などによりトナー飛散が発生する可能性がある。
【００１１】
また、プリンタなどのように、ホストコンピュータからデジタルな入力画像信号が送られてくる印刷装置の場合、画像データは同一濃度領域では同一画像信号が一様に含まれているため、同一濃度の画像領域で画像信号は均一である。従ってトナー飛散が発生すると予想される濃度領域には一律の画像信号が含まれると想定して補正領域判定を行う事ができる。しかし、複写機などのように画像読取装置から取り込まれた読取画像データは、読取装置に依存して元原稿の同一濃度領域に対しても一様でない画像信号が生成される。このような画像領域は、元原稿の画像データが十分に高濃度値であれば印刷した結果トナー飛散が起こりうるが、読取信号がばらつくため、判定領域内の全画像データが同じ濃度値を持つとは限らない。判定領域に閾値に達しない濃度の画像信号があると、その画素または画素領域は補正対象範囲とは見做されず、補正処理がなされないという問題がある。またこの場合、元原稿では同一の濃度領域である画像に対して、ウィンドウエリア内の画像データ位置によって補正処理がかかる場合とかからない場合が混在し、間引きまたは付加処理結果が均一にならず、補正処理の弊害が目立ってしまうという問題がある。
【００１２】
図３は、従来手法による補正処理の説明図である。
【００１３】
従来手法において、基本的に画素単位で置換対象か否かの判定を行うため、処理速度向上のために判定領域を8画素単位して処理する場合でも、8画素全てが黒画素であり、かつ下方向に隣接するライン上の８画素全てが白画素である場合にのみその境界部をエッジと判定する（図３（あ））。従って、８画素中１つでも白画素が含まれているとその部分は非エッジ部と判定する（図３（い））。同じく、判定領域の条件を高さが３ライン以上とした場合、３ライン中の全ての画素が黒である場合はその領域を置換対象と判定する（図（う））が、一部に白画素が入っているとその領域は全て置換対象外と判定してしまう（図（え））。その結果、デジタルデータ的に全黒の画像（図３（お））であれば、置換処理が実行されて間引き画像が形成される（図３（か））が、プロセス条件的にはほぼ全黒に近い画像（図３（き））であっても置換処理が実行されず（図３（く））、トナー飛散を抑制できない。
【課題を解決するための手段】
【００１４】
上記課題を解決するための画像形成の概念を、図４を用いて説明する。
本発明では、置換処理を行うか否かの判定条件や、判定領域抽出のためのエッジ／内部判定条件として判定領域内の平均面積濃度を用い、この面積濃度と置換処理を実行するか否かは閾値（濃度値）と比較して決定する。すなわち判定領域の一部に白画素が含まれている場合も十分にトナー飛散が発生すると思われる濃度以上であれば置換処理を実行する。
また同じくエッジ部を抽出して置換処理を行う場合に、エッジであるか否かの判断に対しても上記平均面積濃度と閾値との比較を用いる。
【００１５】
これにより、プロセス条件的に画像の平均面積濃度が８０％以上であるとトナー飛散が発生すると予想された場合、従来手法では１００％でなければ置換処理を行えなかったが、本発明によれば平均面積濃度８０％で置換処理を切り替える事ができる。これによれば８画素中１画素のみ白画素であるような画像（図４（あ））や、８ｘ３画素中２画素白画素を含む画像（図４（う））であっても、それぞれ置換処理が実行される。一方で面積濃度が８０％を下回る図４（い）や図４（え）のような画像であれば置換処理は実行されない。
【００１６】
この結果、面積濃度１００％である図４（お）の場合と同様に、２４画素中２画素白を含む図４（き）の画像に対しても置換処理が行われ、図４（か）、図４（く）のような画像が形成される。一方、図４（け）のように２４画素中６画素白を含む場合は８０％を下回るため、置換処理は実行されず図４（こ）の状態のままの画像が形成される。
【００１７】
本発明では、２値画像を判定対象とし、ある画像領域のトナー載量を調整する事を目的として画像データの置換処理を行う画像処理装置であって、画像入力装置（２０１）から入力された画像データを受信した画像形成装置（２０２）の画像処理部（２０５）において、入力画像に対する判定領域幅と高さを情報記憶部（２１０）より取得する手段（２０６）と、前記決定した判定領域幅と高さより、判定領域を決定する手段（２０６）と、前記判定領域内に含まれる画像データの平均面積濃度（白黒画素比率）を算出する手段（２０７）と、当該領域が置換対象となる平均面積濃度であるか否かを判定するための置換領域判定閾値を情報記憶部（２１０）より取得する手段（２０７）と、当該領域が置換対象領域であるか否かを判定する手段（２０７）と、当該領域がエッジ部を持つか否かを判定するためのエッジ部判定閾値を、情報記憶部（２１０）より取得する手段（２０８）と、当該領域がエッジ内部を持つか否かを判定するための内部判定閾値を情報記憶部（２１０）より取得する手段（２０８）と、前記エッジ部判定閾値と、エッジ内部判定閾値と、当該判定領域の平均面積濃度をそれぞれ比較し、置換対象であるか否かを判定する手段（２０８）と、前期置換領域判定手段（２０６）により決定した置換領域に対し、置換処理判定部（２０７，２０８）で置換対象と判断された領域の画像データの置換処理を行う手段（２０９）と、を有することで上記課題を解決する。
【００１８】
さらに、画像処理装部（２０５）に、一定領域内のトナー載り量と、前記判定領域に含まれる画像データの平均面積濃度との相関を表すデバイス情報を保持する手段（２０７）と、前記デバイス情報から置換判定閾値を決定する手段（２０７）と、を有することで上記課題を解決する。
【００１９】
さらに、画像処理部（２０５）に、元原稿濃度と、前記元画像をスキャナで読み取り２値化処理を行った後の前記判定領域内の平均面積濃度との相関を表すデバイス情報を保持する手段（２１０）と、前記デバイス情報からエッジ判定閾値を決定する手段（２０８）と、
前記デバイス閾値から内部判定閾値を取得する手段（２０８）と、を有することで上記課題を解決する。
【００２０】
さらに、ユーザインターフェース（２０４）などで設定された画像データの処理モードを認識し、処理モードに応じて前記判定領域幅を切り替える手段（２０２）を有し、前記設定された処理モードが「文字データ」を想定したモードである場合、前記判定領域幅を低く設定する手段（２０６）と、前記設定された処理モードが「イメージデータ」を想定したモードである場合、前記判定領域幅を広く設定する手段（２０６）と、を有することで上記課題を解決する。
【発明の効果】
【００２１】
これにより、元画像信号が一様でない画像領域に対し、トナー飛散を十分に抑制した上で、画像信号が一様でない事による弊害が目立たないような抑制処理を実現する事が可能となる。
【図面の簡単な説明】
【００２２】
【図１】課題解決のためのフローチャートである。
【図２】各装置のソフトモジュールの説明図である。
【図３】従来技術における画像データの状態説明図である。
【図４】本発明における画像データの状態説明図である。
【図５】本発明の実施形態で説明する、問題解決のための詳細なフローチャートである。
【図６】本発明の実施形態で説明する、問題解決のための詳細なフローチャートである。
【図７】本発明の実施形態で説明する、問題解決のための詳細なフローチャートである。
【発明を実施するための形態】
【００２３】
以下、本発明を実施するための最良の形態について図面を用いて説明する。
【００２４】
図２は、本発明を実施するためのシステム構成およびモジュール構成を示すものである。
【００２５】
本構成は、画像読取装置などを備える複写機を例としているが、プリンタなど入力がデジタルデータであるような画像処理装置おいても同様の実施形態が可能である。
【００２６】
スキャナなどの画像入力装置（２０１）で生成された画像データは、２値化されてコントローラなどの画像形成装置（２０２）に送られる。
【００２７】
画像形成装置はパネルなどのユーザインターフェイス（２０４）を備え、画像形成装置の機能切替が可能である。画像形成装置に送られた入力画像データは、既に２値化されたとして扱われる。画像形成装置は、画像処理部（２０５）を内部に備える。画像処理部では、画像置換処理の単位領域を決定する、判定領域決定部（２０５）、置換処理対象となるか否かを画像濃度の観点から判定する濃度判定部（２０７）、同じく画像位置の観点から判定する位置判定部（２０８）、これらの判定処理を通過した後実際に置換処理を行う実行部（２０９）を備える。さらに、領域判定に使用する情報を格納する情報記憶部（２１０）を備える。
【００２８】
画像形成装置で置換処理が施された出力画像データは、画像印字装置（２０３）に送られ、紙などの印刷媒体上に印字される。
【００２９】
ここで、置換処理を行うか否かを決定する条件１として一定領域内のトナー載り量を判定基準とし（濃度条件）、更に条件２として一定領域内の画像がエッジ部を持つことを判定基準（位置条件）を設定するものとする。これらはトナー飛散が発生しやすいデバイス条件に従ったものである。トナー載り量はデバイスのプロセス設定に依存するため、一定領域内のトナーの載り量と、その前段で形成される２値化画像データには一定の相関関係がある。すなわち、デバイス固有の情報を保持していれば、２値化画像データの平均面積濃度（一定領域内の黒画素占有比率）からトナー載り量を予測することが可能である。本発明では画像処理装置の情報記憶部（２１０）にこれらの情報を保持させるものとする。
【００３０】
上記前提のもとに、本発明の実施例を、図１、５、６を用いて詳細に説明する。
【００３１】
図１の画像入力装置（図２  ２０１、以下同）は、まずＳ１０１で読み取った画像をＳ１０２で２値化処理し、Ｓ１０３で画像形成装置（２０２）転送する。以下、画像形成装置内のＳ１０４で転送された２値画像を受信する。Ｓ１０５で判定領域を固定とするか否かを判断し、固定の場合はＳ１０７で固定値をそのまま判定領域とする。可変の場合は、Ｓ１０６で判定領域を選択する。（可変の場合について［その他の実施例］で詳細に説明する。
【００３２】
次にＳ１０８では、Ｓ１０７で決定した判定領域内の黒画素と白画素をそれぞれカウントし、白黒比率から平均面積濃度を求める。
【００３３】
Ｓ１０９で置換処理を行うべきか否かを判定する置換領域判定に際し、濃度条件が固定であるかどうかを判断する。固定であれば、Ｓ１１１で濃度条件に固定値を設定する。可変であれば、Ｓ１１０で濃度条件を選択する。以下、図５を用いてこの処理を詳細に説明する。
【００３４】
Ｓ１０９に移行後、Ｓ５０１で、デバイス情報であるトナー載り量と２値化画像の面積濃度の相関情報を画像形成装置（２０２）の画像処理部（２０５）内の情報記憶部（２１０）に保持するか否かを判断する。保持する場合は置換領域判定にかかる濃度条件を可変と判断しＳ５０２に移行する。保持しない場合、トナー載り量は面積濃度に比例すると仮定しＳ５０８でトナー飛散が発生する濃度閾値を最大値に設定する。可変の場合は更にＳ５０２でトナー飛散が発生する濃度閾値を同じく情報記憶部（２１０）に保持するか否かを判断する。保持する場合はＳ５０３に移行し、持たない場合はＳ５０８に移行する。Ｓ５０１とＳ５０２で共に情報を保持すると判断した場合は、Ｓ５０３で判定領域内の平均面積濃度からトナー載り量を算出する。Ｓ５０４で情報記憶部（２１０）よりトナー飛散が発生する濃度閾値を取得し、Ｓ５０５で取得したトナー飛散発生閾値を判定領域の濃度条件に設定する。
【００３５】
Ｓ５０６ではそれぞれ設定された予想トナー載り量とトナー飛散発生閾値を比較し、トナー載り量が飛散発生閾値を上回る場合はＳ５０７で判定領域は置換対象と判断し、下回る場合はＳ５０９で判定領域は非置換対象と判断し、いずれもＳ１１３に移行する。
【００３６】
以上の処理は、画像処理部（２０５）の置換処理濃度判定部（２０７）で行う。
【００３７】
濃度判定処理Ｓ１０８〜Ｓ１１１の結果を用いてＳ１１２で置換対象判定１が終わると、Ｓ１１３で判定領域が置換対象であるか否かを判断し、置換対象であればＳ１１４の置換領域位置判定に移行する。置換非対象の場合は置換処理を実行せずＳ１２０へ移行する。
【００３８】
Ｓ１１４で更に置換処理を行うべきか否かを判定する置換領域判定に際し、位置条件が固定であるかどうかを判断する。固定であれば、Ｓ１１６で位置条件に固定値を設定する。可変であれば、Ｓ１１５で位置条件を選択する。以下、図６を用いてこの処理を詳細に説明する。
【００３９】
Ｓ１１４に移行後、Ｓ６０１で、デバイス情報であるエッジ判定のための濃度差閾値情報を画像形成装置（２０２）の画像処理部（２０５）内の情報記憶部（２１０）に保持するか否かを判断する。保持する場合はさらにＳ６０２に移行し、エッジ内部判定のための濃度差閾値情報を同じく情報記憶部（２１０）に保持するか否かを判断する。いずれも保持しない場合、エッジ部及び内部濃度差は面積濃度に比例すると仮定しＳ６０９でエッジ判定・内部判定の閾値を最大値に設定する。Ｓ６０１とＳ６０２で共に情報を保持すると判断した場合は、Ｓ６０３でエッジ判定閾値を、Ｓ６０４で情報記憶部（２１０）よりエッジの内部判定閾値を取得し、Ｓ６０５でエッジ判定・内部判定閾値を設定する。
【００４０】
Ｓ６０６では、判定領域内の隣接するライン同士の平均面積濃度を算出し、設定されたエッジ判定閾値と隣接するラインの平均面積濃度差を比較し、濃度差がエッジ判定閾値を上回る場合エッジと判断し、Ｓ６０７で更に濃度差と内部判定閾値を比較する。濃度差が内部判定閾値を超えない場合はエッジ内部と判定しＳ６０８で判定領域が一定のエッジと内部領域を持つと判断する。Ｓ６０６及びＳ６０７で判定条件からはずれた場合は、判定領域はＳ６１０で非置換対象と判断し、いずれもＳ１１８に移行する。
【００４１】
以上の処理は、画像処理部（２０５）の置換処理位置判定部（２０８）で行う。
【００４２】
上記判定処理を行った後に、置換対象と判断された判定領域に対し、Ｓ１１９で画像置換処理を実行し、画像出力装置（２０３）においてＳ１２０へ移行する。
【００４３】
これにより、可変の置換対象判定条件を用いて画像置換処理を行う。
【００４４】
［発明を実施するための形態２］
以下、本発明を実施するための別の形態について図面を用いて説明する。
【００４５】
図１の画像入力装置（２０１）で読み取った画像を画像形成装置（２０２）で処理するにあたって、元原稿がどのような画像データであるかにより処理を切り替える機能を有するものがある。例えば、文字主体のテキスト原稿をコピーする場合はエッジをシャープに処理する「文字モード」、写真画像などのイメージを含む原稿をコピーする場合は、濃度階調性を重視しイメージに適した中間調処理を用いる「写真モード」などが考えられる。このような処理モードは画像処理装置のパネルなどのユーザインターフェイス（２０４）などから切り替えることが可能である。
【００４６】
このような画像処理モードに応じて、その処理画像の特徴を考慮して置換処理の対象判定を行うことで、より効果的なトナー飛散抑制処理を実施することが可能である。
【００４７】
上記例によれば、文字主体の原稿であればその置換対象となるような画像領域は比較的狭い単位で存在し、各画像領域にはエッジが明確に存在すると予想される。一方で、イメージ画像主体の原稿であれば、画像領域は比較的広い範囲に亘って存在する可能性が高く、中間調を使用していればエッジ部判定が難しいケースが考えられる。本実施例ではこれらを考慮して、モードにより判定領域のサイズを切り替える処理を、図７を用いて説明する。
【００４８】
図１のＳ１０４で転送された２値画像を受信する。Ｓ１０５で判定領域を固定とするか否かを判断し、固定の場合はＳ１０７で固定値をそのまま判定領域とする。可変の場合は、Ｓ１０６で判定領域を選択する。この時、固定か可変かを、図７のＳ７０１で判定領域のサイズ情報を情報記憶部（２１０）に複数保持するか否かで判断する。複数保持しない場合はＳ７０６で固定値または初期値を判定サイズとする。これらは通常、最適ではないがどのようなモードでも適用可能な汎用的なサイズを予め設定しておく。Ｓ７０１で複数保持すると判断した場合は、Ｓ７０２で現在の処理モードが「文字モード」であるか否かを判断する。これは画像形成装置（２０２）に接続されるユーザインターフェイス（２０４）から情報を取得する。文字モードの場合は、判定領域が広いと画像範囲にヒットしない確率が高くなるので、Ｓ７０３で判定サイズの小さいものを選択する。「文字モード」でない場合は、Ｓ７０４で「写真モード」であるか否かを判断する。情報取得先は」同様である。写真モードの場合は、判定領域が狭いと面積濃度が局所的になり実濃度と乖離する確率が高くなるので、Ｓ７０３で判定サイズの大きいものを選択する。「写真モード」でもない場合は、特徴的な処理を行わないためにＳ７０６で判定サイズを固定または初期値に設定する。
【００４９】
その後、Ｓ７０７では上記で設定された判定サイズに従い、判定領域を設定してＳ１０８の処理に移行する。
【００５０】
これらの処理は画像処理部（２０５）内の判定領域決定部（２０６）で実施する。
【００５１】
上記切替に際し、判定領域だけでなく、置換処理濃度判定部（２０７）で使用する濃度条件や、置換処理位置判定部（２０８）で使用する位置条件をそれぞれ切り替えることも可能である。
【符号の説明】
【００５２】
２０１  画像入力装置
２０２  画像形成装置
【図１】
2013131943.tif 000003
【図２】
2013131943.tif 000004
【図３】
2013131943.tif 000005
【図４】
2013131943.tif 000006
【図５】
2013131943.tif 000007
【図６】
2013131943.tif 000008
【図７】
2013131943.tif 000009